(57)【要約】      （修正有）【課題】室温や体温付近でコレステリック相を示し、組成を変えることでコレステリック反射帯域の反射色を制御することができ、人の唇や皮膚に塗布した際に美的装飾効果を呈する液晶組成物および該組成物を含む化粧料を提供する。【解決手段】特定の光学活性なメントール化合物を含み、特に室温や体温付近の温度範囲で赤〜紫、より好ましくは赤〜黄色の選択反射色を呈するコレステリック液晶組成物。【選択図】なし【特許請求の範囲】
【請求項１】
第１成分として下記式（１）〜（８）で表される化合物からなる群より選ばれる少なくとも１種と、第２成分として下記式（９）および（１０）で表される化合物からなる群より選ばれる少なくとも１種と、第３成分として下記式（１１）〜（１８）で表される化合物からなる群より選ばれる少なくとも１種とを含有することを特徴とするコレステリック液晶組成物。
【化１】
2008195924.tif 000008
（式中、Ｒ1は独立に炭素数１〜１０のアルキルもしくは炭素数１〜１０のアルコキシを
示す。）
【化２】
2008195924.tif 000009
（式中、Ｒ2およびＲ3はそれぞれ独立に炭素数１〜１０のアルキルを示す。）
【化３】
2008195924.tif 000010
（式中、Ｒ4およびＲ5はそれぞれ独立に炭素数１〜１０のアルキルもしくは炭素数１〜１０のアルコキシを示す。）
【請求項２】
第１成分、第２成分および第３成分の合計含有量を１００重量部とした場合、第１成分を５〜３０重量部の量で含有し、第２成分を１５〜８０重量部の量で含有し、第３成分を１０〜７０重量部の量で含有することを特徴とする請求項１に記載のコレステリック液晶組成物。
【請求項３】
第１成分、第２成分および第３成分の合計含有量を１００重量部とした場合、第１成分
を１０〜３０重量部の量で含有し、第２成分を２０〜６０重量部の量で含有し、第３成分を１０〜６０重量部の量で含有することを特徴とする請求項１に記載のコレステリック液晶組成物。
【請求項４】
第１成分として前記式（４）〜（６）で表される化合物からなる群より選ばれる少なくとも１種と、第２成分として前記式（９）および（１０）で表される化合物からなる群より選ばれる少なくとも１種と、第３成分として前記式（１３）および（１８）で表される化合物からなる群より選ばれる少なくとも１種とを含有することを特徴とする請求項１に記載のコレステリック液晶組成物。
【請求項５】
脂肪酸エステル類、炭化水素類、高級アルコール類、低級アルコール類、多価アルコール、シリコーン油類、環状エーテル、ケトン、アミド、アミノ酸および有機アミンから選ばれる少なくとも１種をさらに含むことを特徴とする請求項１に記載のコレステリック液晶組成物。
【請求項６】
液晶顔料、塗料、噴霧インク、印刷インク、化粧品、偽造防止用印刷物および装飾品から選ばれる用途への、請求項１〜５のいずれかに記載のコレステリック液晶組成物の使用。
【請求項７】
請求項１〜５のいずれかに記載のコレステリック液晶組成物を含むことを特徴とする化粧料。
【請求項８】
脂肪酸エステル類、炭化水素類、多価アルコール、水、水溶性高分子および多糖類からなる群より選ばれる少なくとも１種の溶剤をさらに含有することを特徴とする請求項５に記載の化粧料。
【発明の詳細な説明】
【技術分野】
【０００１】
本発明は、室温や体温付近で特定の波長領域の光を反射するコレステリック液晶組成物およびその用途に関する。
【背景技術】
【０００２】
コレステリック液晶分子は、その液晶状態で螺旋構造を有する。そのため、コレステリック液晶相に光を照射すると、液晶分子の螺旋の回転方向の向きとピッチの長さに対応した特定の波長領域の円偏光の光を反射する。たとえば、可視光を照射した場合、液晶のピッチの長さに対応した青、緑、黄、赤の波長の光を選択的に反射する。これらの色調は、光の吸収により色を呈する顔料や染料とは異なり、また、見る角度により色調が変わる視角依存性を有する。さらに、コレステリック液晶のピッチの長さは、温度や化合物の種類により制御することができるため、可視光だけではなく、近赤外や紫外領域の光も選択的に反射することができる。
【０００３】
こうしたコレステリック液晶の特性を利用して、広い波長域内でさまざまな波長の光を選択的に反射する材料が提供されている。例えば、液晶顔料、塗料、噴霧インク、印刷インク、化粧品、偽造防止用印刷物および装飾品などである。また、液晶表示素子やホログラフィー素子などの光学素子における偏光板、補償板、カラーフィルタなどの光学フィルムなどにも提案されている。既存の材料であるコレステリック液晶顔料については、フレーク状のコレステリック液晶ポリマーや、マイクロカプセル化されたコレステリック液晶が使用されている。これらの用途としては自動車用塗料や化粧料などがある。
【０００４】
特公昭６１−１０１５号公報（特許文献１）には、光学活性なメントール化合物を、液晶組成物の透明点を極端に下げることなく組成物のピッチを短くするための添加剤として使用することが記載されている。また、このようなコレステリック液晶材料の用途として、温度計、腕時計および電卓の表示部が挙げられている。
【０００５】
特公昭６３−３４９１８号公報（特許文献２）には、Ｌ−メントール化合物をピッチ調整剤としてゲスト−ホスト液晶表示体の成分に用いることが記載されている。
特開２００４−１３７１５８号公報（特許文献３）には、光学活性なメントール化合物は、液晶表示装置として使用される液晶組成物へのカイラルドーパントとして、他のコレステロール誘導体等のカイラル剤に比べて低粘性を維持する物質であることが記載されている。
【０００６】
また、ＧＢ２２８０６８１Ａ（特許文献４）には、物質の色が温度によって可逆的に変化する液晶材料のインクへの応用例が記載され、この液晶材料として、光学活性なメントール誘導体とネマチック液晶材料とからなるサーモクロミックな液晶材料が開示されている。また、特許文献４には、このようなサーモクロミックな特性を利用した口紅やアイシャドウなどの化粧品への応用の可能性も示唆されている。
【０００７】
化粧品分野において、特に唇や皮膚に塗布する化粧料用途としてコレステリック材料が用いられる場合、室温もしくは体温付近でコレステリック反射色を呈する材料が要求される。温度範囲としては０〜６０℃、特に好ましくは２０℃〜４０℃付近で赤〜紫、好ましくは赤〜黄の発色が要求される。このように、コレステリック液晶材料が化粧品用途としてその美的装飾の効果を発揮するためには、温度に対する呈色範囲の制御が求められる。
【０００８】
なお、特許文献４の実施例３には、透明点が９１．１℃の３成分系のＭｉｘｔｕｒｅＢ
とメントール誘導体との混合例が、実施例５には２種類のメントール誘導体を含む９成分系の組成例が示されている。しかしながら、コレステリック液晶相域や温度に対する呈色範囲に関する記述はなく、化粧料用材料に応用可能な情報は開示されていない。
【特許文献１】特公昭６１−１０１５号公報
【特許文献２】特公昭６３−３４９１８号公報
【特許文献３】特開２００４−１３７１５８号公報
【特許文献４】ＧＢ２２８０６８１Ａ
【発明の開示】
【発明が解決しようとする課題】
【０００９】
本発明の第一の課題は、室温や体温付近でコレステリック相を示す液晶組成物を提供することである。第二の課題は、前記組成物の組成を変えることで、室温や体温付近で赤〜緑〜青〜紫の広範囲にわたるコレステリック反射帯域の反射色を制御することである。第三の課題は、化粧料として人の唇や皮膚に塗布した際に美的装飾効果を呈する液晶組成物を提供することである。
【課題を解決するための手段】
【００１０】
本発明者は、上記課題を解決すべく鋭意検討を行った。その結果、特定の光学活性なメントール化合物を含み、特に室温や体温付近の温度範囲で赤〜紫、より好ましくは赤〜黄色の選択反射色を呈するコレステリック液晶組成物が、化粧料として人の唇や皮膚に塗布した際に高い美的装飾効果を発現することを見出した。本発明は、このような知見に基づいて完成させたものであり、具体的には、以下の構成が挙げられる。
【００１１】
［１］  第１成分として下記式（１）〜（８）で表される化合物からなる群より選ばれる少なくとも１種と、第２成分として下記式（９）および（１０）で表される化合物からなる群より選ばれる少なくとも１種と、第３成分として下記式（１１）〜（１８）で表される化合物からなる群より選ばれる少なくとも１種とを含有することを特徴とするコレステリック液晶組成物。
【００１２】
【化１】
2008195924.tif 000002
式中、Ｒ1は独立に炭素数１〜１０のアルキルもしくは炭素数１〜１０のアルコキシを
示す。
【００１３】
【化２】
2008195924.tif 000003
式中、Ｒ2およびＲ3はそれぞれ独立に炭素数１〜１０のアルキルを示す。
【００１４】
【化３】
2008195924.tif 000004
式中、Ｒ4およびＲ5はそれぞれ独立に炭素数１〜１０のアルキルもしくは炭素数１〜１０のアルコキシを示す。
【００１５】
［２］  第１成分、第２成分および第３成分の合計量を１００重量部とした場合、第１成分を５〜３０重量部の量で含有し、第２成分を１５〜８０重量部の量で含有し、第３成分を１０〜７０重量部の量で含有することを特徴とする項［１］に記載のコレステリック液晶組成物。
【００１６】
［３］  第１成分、第２成分および第３成分の合計量を１００重量部とした場合、第１成分を１５〜２５重量部の量で含有し、第２成分を２０〜６０重量部の量で含有し、第３成分を１０〜６０重量部の量で含有することを特徴とする項［１］に記載のコレステリック液晶組成物。
【００１７】
［４］  第１成分として前記式（４）〜（６）で表される化合物からなる群より選ばれる少なくとも１種と、第２成分として前記式（９）および（１０）で表される化合物からなる群より選ばれる少なくとも１種と、第３成分として前記式（１３）および（１８）で表される化合物からなる群より選ばれる少なくとも１種とを含有することを特徴とする項［１］に記載のコレステリック液晶組成物。
【００１８】
［５］  脂肪酸エステル類、炭化水素類、高級アルコール類、低級アルコール類、多価アルコール、シリコーン油類、環状エーテル、ケトン、アミド、アミノ酸および有機アミンから選ばれる少なくとも１種をさらに含むことを特徴とする項［１］に記載のコレステリック液晶組成物。
【００１９】
［６］  液晶顔料、塗料、噴霧インク、印刷インク、化粧品、偽造防止用印刷物および装飾品から選ばれる用途への、項［１］〜［５］のいずれかに記載のコレステリック液晶組成物の使用。
【００２０】
［７］  項［１］〜［５］のいずれかに記載のコレステリック液晶組成物を含むことを特徴とする化粧料。
【００２１】
［８］  脂肪酸エステル類、炭化水素類、多価アルコール、水、水溶性高分子および多糖類からなる群より選ばれる少なくとも１種の溶剤をさらに含有することを特徴とする項［５］に記載の化粧料。
【発明の効果】
【００２２】
本発明によれば、室温や体温付近でコレステリック相を呈し、組成を変えることにより、室温や体温付近で赤〜緑〜青〜紫の広範囲にわたるコレステリック反射帯域の反射色を制御することができ、人の唇や皮膚に塗布した際に美的装飾効果を呈する液晶組成物および該組成物を含む化粧料が得られる。
【発明を実施するための最良の形態】
【００２３】
以下、本発明に係るコレステリック液晶組成物およびその用途について詳細に説明する。なお、以下においては、式（１）で表される化合物を「化合物（１）」と称することがあり、他の式で表される化合物についても同様に簡略化して称することがある。
【００２４】
〔コレステリック液晶組成物〕
本発明のコレステリック液晶組成物は、第１成分として化合物（１）〜化合物（８）からなる群より選ばれる少なくとも１種と、第２成分として化合物（９）および化合物（１０）からなる群より選ばれる少なくとも１種と、第３成分として化合物（１１）〜化合物（１８）からなる群より選ばれる少なくとも１種とを含有する。
【００２５】
上記コレステリック液晶組成物は、室温付近（１０〜４０℃程度）で広いコレステリック液晶相域を有し、各構成成分の組成比を変えることで、コレステリック相が反射する光の波長領域を制御することができる。
【００２６】
上記式（１）〜（８）中のＲ1、ならびに上記式（１１）〜（１８）中のＲ4およびＲ5
は、それぞれ独立に炭素数１〜１０のアルキルもしくは炭素数１〜１０のアルコキシであり、好ましくは炭素数１〜５のアルキルもしくは炭素数１〜５のアルコキシである。また、上記式（２）〜（３）中のＲ2およびＲ3は、それぞれ独立に炭素数１〜１０のアルキルであり、好ましくは炭素数１〜５のアルキルである。
【００２７】
上記コレステリック液晶組成物の第１成分として用いられる化合物（１）〜（８）は、光学活性なメントール誘導体であり、他の成分に対する良好な相溶性を有し、目的に応じた螺旋ピッチを発現させることができる。上記液晶組成物は、第１成分として化合物（４）〜（６）から選ばれる少なくとも１種を含有することが、室温付近での液晶組成物の呈色温度領域の上限温度を高くする点で好ましい。
【００２８】
上記コレステリック液晶組成物の第２成分として用いられる化合物（９）および（１０）は、液晶組成物の呈色温度領域の下限温度を低くすることができる。上記液晶組成物は、第２成分として化合物（９）を少なくとも１種含有することが、液晶組成物の呈色温度領域を広げる点で好ましい。
【００２９】
上記コレステリック液晶組成物の第３成分として用いられる化合物（１１）〜（１８）は、液晶組成物の呈色温度領域の上限温度を高くすることができる。上記液晶組成物は、液晶組成物の分離を防ぎ、良好な相溶性を示す観点から、第３成分として化合物（１１）、（１３）、（１６）および（１８）から選ばれる少なくとも１種を含有することが好ましく、化合物（１３）および（１８）から選ばれる少なくとも１種を含有することがより好ましい。
【００３０】
本発明のコレステリック液晶組成物は、第１成分、第２成分および第３成分の合計含有量を１００重量部とした場合、第１成分を好ましくは５〜３０重量部、より好ましくは１０〜３０重量部、さらに好ましくは１５〜２５重量部の量で含有し、第２成分を好ましくは１５〜８０重量部、より好ましくは２０〜６０重量部、さらに好ましくは３０〜６０重量部の量で含有し、第３成分を好ましくは１０〜７０重量部、より好ましくは１０〜６０重量部、さらに好ましくは１５〜５５重量部の量で含有する。
【００３１】
上記化合物（１）〜（８）のうち、化合物（４）の合成スキームを下記スキーム１に示す。化合物（１）〜（８）は、下記スキーム１と同様にして合成することができる。
【００３２】
【化４】
2008195924.tif 000005
上記スキーム１に示すように、２環カルボン酸[a]と等量のＬ−メントール[b]とのエステル化によって化合物（４）を合成することができる。なお、化合物（６）の合成には、２環カルボン酸の代わりに下記３環カルボン酸[c]を用いて同様のエステル化反応を行な
う。
【００３３】
【化５】
2008195924.tif 000006
上記化合物（９）〜（１８）は、フーベン・ヴァイル（Houben Wyle, Methoden der Organischen Chemie, Georg Thieme Verlag, Stuttgart）、オーガニック・リアクションズ（Organic Reactions, John Wily & Sons Inc.）、オーガニック・シンセセーズ（Organic Syntheses, John Wily & Sons, Inc.）、コンプリヘンシブ・オーガニック・シンセシス（Comprehensive Organic Synthesis, Pergamon Press）、新実験化学講座（丸善）などに記載された、有機化学における合成方法を適切に組み合わせることにより合成できる。
【００３４】
本発明のコレステリック液晶組成物の好ましい態様としては、たとえば、
・第１成分として化合物（３）と、第２成分として化合物（９）と、第３成分として化合物（１３）とを含有する組成物；
・第１成分として化合物（３）と、第２成分として化合物（９）および（１０）と、第３成分として化合物（１３）を含有する組成物；
・第１成分として化合物（３）と、第２成分として化合物（９）および（１０）と、第３成分として化合物（１３）および（１８）を含有する組成物；
・第１成分として化合物（４）と、第２成分として化合物（９）と、第３成分として化合物（１３）を含有する組成物；
・第１成分として化合物（４）と、第２成分として化合物（９）および（１０）と、第３成分として化合物（１３）を含有する組成物；
・第１成分として化合物（４）と、第２成分として化合物（９）および（１０）と、第３成分として化合物（１３）および（１８）を含有する組成物；
・第１成分として化合物（６）と、第２成分として化合物（９）と、第３成分として化合物（１３）を含有する組成物；
・第１成分として化合物（６）と、第２成分として化合物（９）および（１０）と、第３成分として化合物（１３）を含有する組成物；
・第１成分として化合物（６）と、第２成分として化合物（９）および（１０）と、第３成分として化合物（１３）および（１８）を含有する組成物；
などが挙げられる。
【００３５】
本発明の液晶組成物は溶剤を含有してもよい。溶剤としては、たとえば、脂肪酸エステル類、炭化水素類、高級アルコール類、低級アルコール類、多価アルコール、シリコーン油類、環状エーテル、ケトン、アミド、アミノ酸および有機アミンなどが挙げられる。これらは、１種単独で用いても２種以上を混合して用いてもよい。
【００３６】
〔用途〕
本発明のコレステリック液晶組成物の用途としては、色材一般、たとえば、液晶顔料、塗料、噴霧インク、印刷インクなどが挙げられる。また、化粧料、偽造防止用印刷物、装飾品に使用することもできる。これらの中でも、室温や体温付近の温度範囲で赤〜紫、より好ましくは赤〜黄色の選択反射色を呈することから、化粧料として好適に用いることができる。
【００３７】
本発明の化粧料は、上述した本発明のコレステリック液晶組成物を含む。また、上記液晶組成物以外にも、本発明の効果を損なわない範囲において、一般的な化粧品に用いられる成分、たとえば、体質顔料、着色剤、酸化防止剤、酸化防止助剤、紫外線吸収剤、金属イオン封鎖剤、界面活性剤、保存安定剤、防腐剤、希釈剤、可塑剤、保湿剤、粘度調整剤、感触調整剤、増粘剤、皮膜剤、エステル油、液体油脂、固体油脂、ロウ、水溶性高分子、環状エーテル、ケトン、アミド、アミノ酸、有機アミン、多価アルコール、多糖類、高分子エマルジョン、ｐＨ調整剤、ビタミン類、皮膚栄養剤、香料、水、種々の抽出エキスなどを、用途に応じて含有してもよい。
【００３８】
体質顔料としては、たとえば、硫酸バリウム、炭酸バリウム、炭酸カルシウム、炭酸マグネシウム、シリカ、酸化チタン、マイカ、セリサイト、タルクなどが挙げられる。これらの体質顔料は、１種単独で用いても２種以上を組み合わせて用いてもよい。
【００３９】
着色剤としては、たとえば、溶性アゾ、不溶性アゾ、ポリアゾ、フタロシアニン、アンスラキノン、チオインジゴ、ペリレン、ペリノン、ジオキサジン、キナクリドン、イソインドリノン、キノフタロン、ジケトピロロピロール、アンスラキノン、ペリノン、キノフタロン、アゾ、カーボンブラックなどが挙げられる。
【００４０】
酸化防止剤としては、たとえば、２，２−メチレンビス（４−メチル−６−ｔ−ブチルフェノール）、２，６−ジ−ｔ−ブチル−４−メチルフェノール（ＢＨＴ）などが挙げられる。
【００４１】
紫外線吸収剤としては、たとえば、２−（３−ｔ−ブチル−５−メチル−２−ヒドロキシフェニル）−５−クロロベンゾトリアゾール、アルコキシベンゾフェノン類などが挙げられる。
【００４２】
保湿剤としては、たとえば、動物油、植物油、合成油等の起源及び、固形油、半固形油、液体油、揮発性油等の性状を問わず、炭化水素類、油脂類、ロウ類、硬化油類、エステル油類、脂肪酸類、低級アルコール類、グリコール類、グリセロール類、高級アルコール類、シリコーン油類、フッ素系油類、ラノリン誘導体類、植物ステロール誘導体類等が挙げられる。
【００４３】
具体的には、流動パラフィン、スクワラン、ワセリン、ポリイソブチレン、ポリブテン、パラフィンワックス、セレシンワックス、マイクロクリスタリンワックス、モンタンワックス、フィシャトロプスワックス等の炭化水素類；モクロウ、オリーブ油、ヒマシ油、ミンク油、マカデミアンナッツ油等の油脂類；ミツロウ、カルナウバワックス、キャンデリラワックス、ゲイロウ等のロウ類；ホホバ油、イソオクタン酸セチル、ミリスチン酸イソプロピル、パルミチン酸イソプロピル、ミリスチン酸オクチルドデシル、トリオクタン酸グリセリル、ジイソステアリン酸ジグリセリル、トリイソステアリン酸ジグリセリル、トリベヘン酸グリセリル、ロジン酸ペンタエリトリットエステル、ジオクタン酸ネオペンチルグリコール、コレステロール脂肪酸エステル、Ｎ−ラウロイル−Ｌ−グルタミン酸ジ（コレステリル・ベヘニル・オクチルドデシル）等のエステル油類；ステアリン酸、ラウリン酸、ミリスチン酸、ベヘニン酸、イソステアリン酸、オレイン酸、１２−ヒドロキシステアリン酸等の脂肪酸類；ステアリルアルコール、セチルアルコール、ラウリルアルコール、オレイルアルコール、イソステアリルアルコール、ベヘニルアルコール等の高級アルコール類；低重合度ジメチルポリシロキサン、高重合度ジメチルポリシロキサン、メチルフェニルポリシロキサン、デカメチルシクロペンタシロキサン、オクタメチルシクロテトラシロキサン、フッ素変性シリコーン等のシリコーン油類；パーフルオロポリエーテル、パーフルオロデカン、パーフルオロオクタン等のフッ素系油剤類；ラノリン、酢酸ラノリン、ラノリン脂肪酸イソプロピル、ラノリンアルコール等のラノリン誘導体類；シトステロール誘導体；カンペステロール誘導体；スティグマステロール誘導体；エタノール、イソプロピルアルコール等のアルコール類；プロピレングリコール、１，３−ブチレングリコール、ジプロピレングリコール、ポリエチレングリコール等のグリコール類；グリセリン、ジグリセリン、ポリグリセリン等のグリセロール類；ソルビットなどが挙げられる。これらは、１種単独で用いても２種以上を組み合わせて用いてもよい。
【００４４】
粘度調整剤および感触調整剤として、例えば、植物系高分子（例えば、アラビアガム、トラガカントガム、ガラクタン、グアガム、キャロブガム、カラヤガム、カラギーナン、ペクチン、カンテン、クインスシード(マルメロ)、アルゲコロイド(カッソウエキス)、デンプン(コメ、トウモロコシ、バレイショ、コムギ)、グリチルリチン酸、ヒアルロン酸、ヒアルロン酸誘導体）；微生物系高分子（例えば、キサンタンガム、デキストラン、サクシノグルカン、ブルラン等）；動物系高分子（例えば、コラーゲン、カゼイン、アルブミン、ゼラチン等）などが挙げられる。
【００４５】
半合成の水溶性高分子としては、例えば、デンプン系高分子（例えば、カルボキシメチルデンプン、メチルヒドロキシプロピルデンプン等）；セルロース系高分子（メチルセルロース、エチルセルロース、メチルヒドロキシプロピルセルロース、ヒドロキシエチルセルロース、セルロース硫酸ナトリウム、ヒドロキシプロピルセルロース、カルボキシメチルセルロース、カルボキシメチルセルロースナトリウム、結晶セルロース、セルロース末等）；アルギン酸系高分子（例えば、アルギン酸ナトリウム、アルギン酸プロピレングリコールエステル等）；ヒアルロン酸ナトリウムなどが挙げられる。
【００４６】
合成の水溶性高分子としては、例えば、ビニル系高分子（例えば、ポリビニルアルコール、ポリビニルメチルエーテル、ポリビニルピロリドン、カルボキシビニルポリマー等）；ポリオキシエチレン系高分子（例えば、ポリエチレングリコールのポリオキシエチレン−ポリオキシプロピレン共重合体等）；アクリル系高分子（例えば、ポリアクリル酸ナトリウム、ポリエチルアクリレート、ポリアクリルアミド等）；ポリエチレンイミン；カチオンポリマーなどが挙げられる。
【００４７】
増粘剤としては、例えば、アラビアガム、カラギーナン、カラヤガム、トラガカントガム、キャロブガム、クインスシード（マルメロ）、カゼイン、デキストリン、ゼラチン、ペクチン酸ナトリウム、アラギン酸ナトリウム、メチルセルロース、エチルセルロース、ＣＭＣ、ヒドロキシエチルセルロース、ヒドロキシプロピルセルロース、ＰＶＡ、ＰＶＭ、ＰＶＰ、ポリアクリル酸ナトリウム、カルボキシビニルポリマー、ローカストビーンガム、グアーガム、タマリントガム、ジアルキルジメチルアンモニウム硫酸セルロース、キサンタンガム、ケイ酸アルミニウムマグネシウム、ベントナイト、ヘクトライト、ケイ酸A1Mg(ビーガム)、ラポナイト、無水ケイ酸、コンドロイチン硫酸ナトリウム、カルボキシビニルポリマー、アルキル変性カルボキシビニルポリマーなどが挙げられる。
【００４８】
本発明の化粧料は、例えば、口紅、リップクリーム、リップグロス、アイシャドウ、アイライナー、マスカラ、頬紅、液状ファンデーションなどに好適に用いることができる。
【実施例】
【００４９】
以下、実施例に基づいて本発明をより具体的に説明するが、本発明はこれら実施例に何ら限定されるものではない。
【００５０】
〔実施例１〕
上記式（４）におけるＲ1がＣ5Ｈ11である化合物（成分１−１）１９重量％と、上記式（９）におけるＲ2がＣ3Ｈ7、Ｒ3がＣ2Ｈ5である化合物（成分２−１）１４重量％と、Ｒ2がＣ5Ｈ11、Ｒ3がＣ2Ｈ5である化合物（成分２−２）３重量％と、上記式（１０）にお
けるＲ2がＣ3Ｈ7、Ｒ3がメチルである化合物（成分２−３）２１重量％と、上記式（１３）におけるＲ4がＣ3Ｈ7、Ｒ5がメトキシである化合物（成分３−１）７重量％と、Ｒ4が
Ｃ3Ｈ7、Ｒ5がＯＣ3Ｈ7である化合物（成分３−２）１４重量％と、上記式（１８）にお
けるＲ4がＣ3Ｈ7、Ｒ5がＣ3Ｈ7である化合物（成分３−３）１１重量％と、Ｒ4がＣ3Ｈ7
、Ｒ5がＣ5Ｈ11である化合物（成分３−４）１１重量％とからなる組成物は、２０〜４０℃の温度領域で赤のコレステリック反射色を示した。
【００５１】
〔実施例２〜５〕
表１に示す組成物を調製し、実施例１と同様にして反射色を調べた。
〔比較例１〜３〕
表１に示す組成物を調製し、実施例１と同様にして反射色を調べた。
【００５２】
【表１】
2008195924.tif 000007
表１に示すように、成分１、成分２および成分３を含有する本発明のコレステリック液晶組成物（実施例１〜５）は、室温付近でコレステリック反射色を呈した。一方、成分３を含有しない比較例１〜３の組成物は、室温で結晶であったり、室温以下でコレステリック反射色を呈した。